(57)【要約】【課題】本発明はディスク駆動用スピンドルモータ及びこれを用いた個人用移動通信機器を提供する。【解決手段】本発明のスピンドルモータ１００は、回路基板Ｃと、前記回路基板Ｃ上に固定設置される管状の部材であり、その内部にシャフト１２０が回転可能に挿入されるハウジング１１０と、前記シャフト１２０の回転時シャフト１２０に対して潤滑作用を働くようハウジング１１０の内周面に沿って形成される多数の溝及びこの溝を含んで内周面に浸透し形成される二硫化モリブデン皮膜ｆと、前記ハウジング１１０の外周面と隣接した前記回路基板Ｃの上部に設けられ導体を重畳して成る電気子１３０と、前記シャフト１２０に一体に固定され、上部面にはディスクＤが安着されるターンテーブルが設けられ、下部面には電気子１３０と相互作用し回転電磁気力を発生させるマグネット１４４ａが設けられるローター１４０とを含んで成る。【選択図】図１
2004312987.tif 000002
【特許請求の範囲】
【請求項１】
回路基板と、
前記回路基板上に固定設置される管状の部材として、当該回路基板の内部にシャフトが回転可能に挿入されるハウジングと、
前記シャフトの回転時に当該シャフトに対して潤滑作用を行うようハウジングの内周面に沿って形成される多数の溝及びこの溝を含み内周面に浸透して形成される二硫化モリブデン皮膜と、
前記ハウジングの外周面と隣接した前記回路基板の上部に設けられ、板材型の導体を重畳して成る電気子と、
前記シャフトに一体に固定されるもので、上部面にはディスクが安着されるターンテーブルが具備され、下部面には前記電気子と相互作用して回転電磁気力を発生させるマグネットが具備されるローターと、
を有することを特徴とするディスクドライバ用スピンドルモータ。
【請求項２】
前記ハウジングの内周面に形成される溝は、軸線方向に等間隔でラジアル方向に形成されることを特徴とする請求項１に記載のディスクドライバ用スピンドルモータ。
【請求項３】
前記ハウジングの内周面に形成される溝は、前記二硫化モリブデン皮膜と同一素材から成る流体を高圧噴射して形成することを特徴とする請求項１に記載のディスクドライバ用スピンドルモータ。
【請求項４】
前記ローターのマグネットは、前記ローターの下部面にマグネット粉末を印刷して形成することを特徴とする請求項１に記載のディスクドライバ用スピンドルモータ。
【請求項５】
前記マグネット粉末は、前記ローターの下部面に多量の粉末が凝集して磁力が強化されるよう５００ｎｍないし１０００ｎｍの粒径から成ることを特徴とする請求項４に記載のディスクドライバ用スピンドルモータ。
【請求項６】
前記ローターのマグネットは、前記ローターの下部面にマグネット粉末を蒸着して形成することを特徴とする請求項１に記載のディスクドライバ用スピンドルモータ。
【請求項７】
前記マグネット粉末は、前記ローターの下部面に多量の粉末が凝集して磁力が強化するよう５００ｎｍないし１０００ｎｍの粒径から成ることを特徴とする請求項６に記載のディスクドライバ用スピンドルモータ。
【請求項８】
回路基板と、
前記回路基板上に固定設置される管状のハウジングと、
前記ハウジングに回転可能に挿入されるシャフトと、
前記シャフトの回転時に前記ハウジングに対して潤滑作用を働くようシャフトの外周面に沿って形成される多数の溝及びこの溝を含んで外周面に浸透して形成される二硫化モリブデン皮膜と、
前記ハウジングの外周面と隣接した前記回路基板の上部に設けられ、板材型の導体を重畳して成る電気子と、
前記シャフトに一体に固定されるもので、上部面にはディスクが安着されるターンテーブルが具備され、下部面には電気子と相互作用して回転電磁気力を発生させるマグネットが具備されるローターと、
を有することを特徴とするディスクドライバ用スピンドルモータ。
【請求項９】
前記シャフトの外周面に形成される溝は、前記二硫化モリブデン皮膜と同一素材から成る流体を高圧噴射して形成することを特徴とする請求項８に記載のディスクドライバ用スピンドルモータ。
【請求項１０】
前記ローターのマグネットは、前記ローターの下部面にマグネット粉末を印刷して形成することを特徴とする請求項８に記載のディスクドライバ用スピンドルモータ。
【請求項１１】
前記マグネット粉末は、前記ローターの下部面に多量の粉末が凝集して磁力が強化されるよう５００ｎｍないし１０００ｎｍの粒径から成ることを特徴とする請求項１０に記載のディスクドライバ用スピンドルモータ。
【請求項１２】
前記ローターのマグネットは、前記ローターの下部面にマグネット粉末を蒸着して形成することを特徴とする請求項８に記載のディスクドライバ用スピンドルモータ。
【請求項１３】
前記マグネット粉末は、前記ローターの下部面に多量の粉末が凝集して磁力が強化されるよう５００ｎｍないし１０００ｎｍの粒径から成ることを特徴とする請求項１２に記載のディスクドライバ用スピンドルモータ。
【請求項１４】
データ入力装置と液晶表示窓を具備する本体及び前記本体に内蔵されてデータ記憶用ディスクを駆動させるスピンドルモータが設けられたディスクドライバを含み、
前記スピンドルモータは本体の回路基板に選択的に連結される回路基板と、この回路基板上に固定設置される管状の部材として、当該回路基板の内部にシャフトが回転可能に挿入されるハウジングと、前記シャフトの回転時に当該シャフトに対して潤滑作用を働くようハウジングの内周面に沿って形成される多数の溝及びこの溝を含んで内周面に浸透し形成される二硫化モリブデン皮膜と、前記ハウジングの外周面と隣接した前記回路基板の上部に設けられて導体を重畳して成る電気子と、前記シャフトに一体に固定されるもので、上部面にはディスクが安着されるターンテーブルが具備されて下部面には電気子と相互作用し回転電磁気力を発生させるマグネットが具備されたローターとを有することを特徴とする個人用移動通信機器。
【請求項１５】
前記本体は、送信部と受信部及びキーパッドを含んだ携帯電話機であること特徴とする請求項１４に記載の個人用移動通信機器。
【請求項１６】
前記本体は、個人の情報管理が可能で、一般のコンピュータと互換されて情報交流が可能なＰＤＡであることを特徴とする請求項１４に記載の個人用移動通信機器。
【請求項１７】
前記本体は、携帯用コンピュータであることを特徴とする請求項１４に記載の個人用移動通信機器。
【請求項１８】
前記ディスクドライバは、磁気記録により情報を記憶するハードディスクドライバであることを特徴とする請求項１４に記載の個人用移動通信機器。
【請求項１９】
前記ディスクドライバは、光線により情報を記憶する光ディスクが用いられる光ディスクドライバであることを特徴とする請求項１４に記載の個人用移動通信機器。
【請求項２０】
前記ディスクドライバは、前記本体と別個に設けられて本体の内部に着脱自在に構成され、着脱されても装着時には本体とデータとをインターフェースできるインターフェース部をさらに有することを特徴とする請求項１４に記載の個人用移動通信機器。
【請求項２１】
前記ハウジングの内周面に形成される溝は、前記二硫化モリブデン皮膜と同一素材から成る流体を高圧噴射して形成することを特徴とする請求項１４に記載の個人用移動通信機器。
【請求項２２】
前記スピンドルモータのローターに設けられるマグネットは、前記ローターの下部面にマグネット粉末を印刷して形成することを特徴とする請求項１４に記載の個人用移動通信機器。
【請求項２３】
前記マグネット粉末は、前記ローターの下部面に多量の粉末が凝集して磁力が強化されるよう５００ｎｍないし１０００ｎｍの粒径から成ることを特徴とする請求項２２に記載の個人用移動通信機器。
【請求項２４】
前記スピンドルモータのローターに設けられるマグネットは、前記ローターの下部面にマグネット粉末を蒸着して形成することを特徴とする請求項１４に記載の個人用移動通信機器。
【請求項２５】
前記マグネット粉末は、前記ローターの下部面に多量の粉末が凝集して磁力が強化されるよう５００ｎｍないし１０００ｎｍの粒径から成ることを特徴とする請求項２４に記載の個人用移動通信機器。
【請求項２６】
データ入力装置と液晶表示窓を具備する本体及び前記本体に内蔵されてデータ記憶用ディスクを駆動させるスピンドルモータが設けられたディスクドライバを含み、
前記スピンドルモータは本体の回路基板に選択的に連結される回路基板と、この回路基板上に固定設置される管状のハウジングと、前記ハウジングに回転可能に挿入されるシャフトと、前記シャフトの回転時に前記ハウジングに対して潤滑作用を行うようシャフトの外周面に沿って形成される多数の溝及びこの溝を含んで外周面に浸透し形成される二硫化モリブデン皮膜と、前記ハウジングの外周面と隣接した前記回路基板の上部に設けられて導体を重畳して成る電気子と、前記シャフトに一体に固定されるもので、上部面にはディスクが安着されるターンテーブルが具備されて下部面には電気子と相互作用して回転電磁気力を発生させるマグネットが具備されたローターとを有することを特徴とする個人用移動通信機器。
【請求項２７】
前記本体は、送信部と受信部及びキーパッドを含む携帯電話機であることを特徴とする請求項２６に記載の個人用移動通信機器。
【請求項２８】
前記本体は、個人の情報管理が可能で、一般のコンピュータと互換されて情報交流が可能なＰＤＡであることを特徴とする請求項２６に記載の個人用移動通信機器。
【請求項２９】
前記本体は、携帯用コンピュータであることを特徴とする請求項２６に記載の個人用移動通信機器。
【請求項３０】
前記ディスクドライバは、磁気記録により情報を記憶するハードディスクドライバであることを特徴とする請求項２６に記載の個人用移動通信機器。
【請求項３１】
前記ディスクドライバは、光線により情報を記憶する光ディスクが用いられる光ディスクドライバであることを特徴とする請求項２６に記載の個人用移動通信機器。
【請求項３２】
前記ディスクドライバは、前記本体と別個に設けられて本体の内部に着脱自在に構成され、着脱されても装着時には本体とデータとをインターフェースできるインターフェース部をさらに有することを特徴とする請求項２６に記載の個人用移動通信機器。
【請求項３３】
前記シャフトの外周面に形成される溝は、前記二硫化モリブデン皮膜と同一素材から成る流体を高圧噴射して形成することを特徴とする請求項２６に記載の個人用移動通信機器。
【請求項３４】
前記スピンドルモータのローターに設けられるマグネットは、前記ローターの下部面にマグネット粉末を印刷して形成することを特徴とする請求項２６に記載の個人用移動通信機器。
【請求項３５】
前記マグネット粉末は、前記ローターの下部面に多量の粉末が凝集して磁力が強化されるよう５００ｎｍないし１０００ｎｍの粒径から成ることを特徴とする請求項３４に記載の個人用移動通信機器。
【請求項３６】
前記スピンドルモータのローターに設けられるマグネットは、前記ローターの下部面にマグネット粉末を蒸着して形成することを特徴とする請求項２６に記載の個人用移動通信機器。
【請求項３７】
前記マグネット粉末は、前記ローターの下部面に多量の粉末が凝集して磁力が強化されるよう５００ｎｍないし１０００ｎｍの粒径から成ることを特徴とする請求項３６に記載の個人用移動通信機器。
【発明の詳細な説明】
【技術分野】
【０００１】
本発明は円板型のディスクを駆動させるディスクドライバ用スピンドルモータ及びそのモータを用いた移動通信機器に関するものである。
【背景技術】
【０００２】
一般的に個人用移動通信機器には携帯電話やＰＤＡ、またはポケットベル及び無線機などがあり、他にもコンピュータ機能と移動通信機能を持ち合わせた携帯用コンピュータであるノートブックコンピュータなどがある。
【０００３】
ここで、最も代表的な移動通信機器としては携帯電話機が幅広く普及されており最も代表的であるといえ、こうした携帯電話機は単なる通話機能から電話番号収録、データ記憶機能、インターネット機能、カメラ機能、そしてカムコーダ機能などが追加されながら発展しているばかりでなく、現在は動映像（動画像）まで現示する個人情報機器に発展している。
【０００４】
このように携帯電話機が個人情報機器へと発展可能な理由はそのメモリー記憶容量の拡張にあり、本発明に先立って出願された韓国公開特許公報第２００２−４６２０号（名称：着脱式メモリーカードを用いる移動電話端末機）に提示したように、携帯電話機に着脱式メモリーカードを装着すれば携帯電話機のメモリー記憶容量をより拡張することができる。
【０００５】
ここで、添付の図面を参照しながら先に出願された韓国公開特許公報第２００２−４６２０号を説明すると次のとおりであり、図７は従来の技術による個人用移動通信機器の概略構成図である。
【０００６】
図示したように、従来の技術による個人用移動通信機器である携帯電話機（２０１）は着脱されて携帯電話機（２０１）のメモリー記憶容量を拡張するメモリーカード（２０２）を具備し、携帯電話機（２０１）はメモリーカード（２０２）によりコンピュータ（２１１）やプリンタ（２１２）、またはディジタルカメラ（２１３）とデータを互換することができる。即ち、メモリーカード（２０２）により携帯電話機（２０１）のメモリー容量が拡張するにつれて大量のデータを携帯電話機（２０１）に記憶することができ、記憶されたデータをコンピュータ（２１１）やプリンター（２１２）などで編集したり出力することができる。
【０００７】
しかし、こうしたメモリーカード（２０２）はデータ記憶容量が一般のＣＤやハードディスクに比べて顕著に少ないので、メモリーが拡張されても記憶可能なデータの容量には限界がある。
【０００８】
もちろん、これを克服すべくＭＰ３などのデータ圧縮技術を応用するが、それでも記憶可能なデータの容量はＣＤやハードディスクに比して顕著に少ないという問題がある。
【０００９】
また、メモリーカード（２０２）のみでは動映像やイメージファイルのように大容量のデータにすべて対応することは事実上不可能である。さらに、メモリーカード（２０２）はＣＤやハードディスクに比して価格が高価な欠点があり、こうしたメモリーカード（２０２）を有する携帯電話機（２０１）はメモリーカード（２０２）による製品単価の上昇により消費者に喜ばれないという問題もある。
【００１０】
しかし、このようなメモリーカード（２０２）の問題にも拘らずＣＤやハードディスクを携帯電話機（２０１）に適用できない理由は、ＣＤやハードディスクを駆動するディスクドライバの寸法が携帯電話機（２０１）に比して大変大きい為、携帯電話機（２０１）に設置が不可となるからである。
【００１１】
こうしたディスクドライバは核心部品であるスピンドルモータの寸法が小型化されてこそディスクドライバの寸法の小型化が可能となる、今まで開発されたスピンドルモーターはその寸法上携帯電話機（２０１）に適用できない。
【００１２】
それに比べて、ディスクドライバに装着されるＣＤやハードディスクはデータ記憶容量が現在数十ギガバイト（ＧＢ）まで大幅に増加されたが、その寸法はむしろ銅貨大まで小型化され、その寸法はさらに小さくなっていく見込みである。したがって、ＣＤやハードディスクの寸法は縮小されたがスピンドルモータの寸法は未だ携帯電話機（２０１）に適用し難い為、携帯電話機（２０１）にＣＤやハードディスクを適用できないのである。
【００１３】
ここで、図面を参照して前述したようなスピンドルモータについてより詳しく説明すると、図８は従来の技術によるディスクドライバ用スピンドルモータを示した断面図として、図示のようにスピンドルモータは、ベースを成す回路基板を有するデッキプレート（ＤＰ）、デッキプレート（ＤＰ）に固定されるステーター（２２０）、ステーター（２２０）に垂直に回動可能に設けられるシャフト（Ｓ）、及びシャフト（Ｓ）に設けられて回転するローター（２３０）から成る。
【００１４】
スピンドルモータの構成要素をより詳しく説明すると、先ずステーター（２２０）は、コイルが巻線されて電磁気力を発生させるコア（２２２）、コア（２２２）が固定されるホルダー（２２４）、及びホルダー（２２４）の内周面に設けられる円筒型のメタルベアリング（２２４ａ）から成る。
【００１５】
そして、シャフト（Ｓ）は、メタルベアリング（２２４ａ）の内周面に回転可能に設けられ、下部面にはデッキプレート（ＤＰ）との摩擦を防止するワッシャー型のスラストベアリング（２２４ｂ）が設けられる。
【００１６】
次いで、ローター（２３０）は、キャップ形状から成りステーター（２２０）と空隙ができるようシャフト（Ｓ）の上端部に固定設置され、下端内側には前記ステーター（２２０）のコア（２２２）から発生する電磁気力と相互作用してローター（２３０）を回転させる永久磁石のマグネット（２３２ａ）が設けられる。この際、ローター（２３０）は、上部面にデータが記憶されたディスク（Ｄ）を固定し安着させられるディスクチャック（２３４）を有するターンテーブル（２３２）が設けられる。
【００１７】
したがって、スピンドルモータは、ターンテーブル（２３２）にディスク（Ｄ）が安着すると、ローター（２３０）とステーター（２２０）の相互作用によりローター（２３０）がシャフト（Ｓ）を中心に回転してディスク（Ｄ）を高速回転させることができる。
【００１８】
しかし、このように構成されたスピンドルモータはその構成要素各々の寸法により小型化し難く、とりわけコア（２２２）とマグネット（２３２ａ）の場合に高速回転が可能な磁気力を発生させるためには一定の寸法を保たなければならない為、その寸法の小型化には大変な困難がある。
【特許文献１】韓国公開特許公報第２００２−４６２０号
【発明の開示】
【発明が解決しようとする課題】
【００１９】
本発明は、このような問題点を解決すべく案出されたもので、ディスクドライバの寸法が個人用移動通信機器である携帯電話機に適用できるようコイルとマグネットが薄膜フィルム形態から成る超小型スピンドルモータを提供することに目的がある。
【００２０】
そして、こうしたスピンドルモータを適用したディスクドライバを個人用移動通信機器である携帯電話機に用いて携帯電話機のデータ記憶容量を拡張させることに他の目的がある。
【課題を解決するための手段】
【００２１】
前記した課題を実現するための本発明によるスピンドルモータは、回路基板と；前記回路基板上に固定設置される管状の部材であり、その内部にシャフトが回転可能に挿入されるハウジングと；前記シャフトの回転時シャフトに対して潤滑作用を働くようハウジングの内周面に沿って形成される多数の溝及びこの溝を含んで内周面に浸透し形成される二硫化モリブデン皮膜と；前記ハウジングの外周面と隣接した前記回路基板の上部に設けられ導体を重畳して成る電気子と；前記シャフトに一体に固定され上部面にはディスクが安着されるターンテーブルが具備され、下部面には電気子と相互作用して回転電磁気力を発生させるマグネットが具備されるローターとを含んで成ることを特徴とする。本発明の好ましい一特徴として、前記ハウジングの内周面に形成される溝は軸線方向に等間隔でラデアル方向に形成される。本発明の好ましい他の特徴として、前記ハウジングの内周面に形成される溝は前記二硫化モリブデン皮膜と同一素材から成る流体を高圧噴射して形成する。本発明の好ましい他の特徴として、前記ローターのマグネットは前記マグネット粉末を印刷して形成する。本発明の好ましい他の特徴として、前記ローターのマグネットは前記ローターの下部面にマグネット粉末を蒸着して形成する。本発明の好ましい他の特徴として、前記マグネット粉末は前記ローターの下部面に多量の粉末が凝集し磁力が強化するよう５００ｎｍないし１０００ｎｍの粒径から成る。
【００２２】
本発明によるスピンドルモータの他の実施例は、回路基板と；前記回路基板上に固定設置される管状のハウジングと；前記ハウジングに回転可能に挿入されるシャフトと；前記シャフトの回転時ハウジングに対して潤滑作用を働くようシャフトの外周面に沿って形成される多数の溝及びこの溝を含んで外周面に浸透し形成される二硫化モリブデン皮膜と；前記ハウジングの外周面と隣接した前記回路基板の上部に設けられ導体を重畳して成る電気子と；前記シャフトに一体に固定され、上部面にはディスクが安着されるターンテーブルが具備され、下部面には電気子と相互作用して回転電磁気力を発生させるマグネットが具備されるローターとを含んで成る。
【００２３】
本発明によるスピンドルモータを用いた個人用移動通信機器は、データ入力装置と液晶表示窓を具備する本体、及び前記本体に内蔵されデータ記憶用ディスクを駆動させるスピンドルモータが設けられたディスクドライバを含み、前記スピンドルモータは、本体の回路基板に選択的に連結される回路基板と、この回路基板上に固定設置される管状の部材であり、その内部にシャフトが回転可能に挿入されるハウジングと、前記シャフトの回転時シャフトに対して潤滑作用を働くようハウジングの内周面に沿って形成される多数の溝及びこの溝を含んで内周面に浸透し形成される二硫化モリブデン皮膜と、前記ハウジングの外周面と隣接した前記回路基板の上部に設けられ導体を重畳して成る電気子と、前記シャフトに一体に固定され、上部面にはディスクが安着されるターンテーブルが具備され下部面には電気子と相互作用して回転電磁気力を発生させるマグネットが具備されたローターとを含んで成ることを特徴とする。本発明の好ましい一特徴として、前記本体は送信部と受信部及びキーパッドを含む携帯電話機である。本発明の好ましい他の特徴として、前記本体は個人の情報管理が可能で、一般のコンピュータと互換され情報交流が可能なＰＤＡである。本発明の好ましい他の特徴として、前記本体は携帯用コンピュータである。本発明の好ましい他の特徴として、前記ディスクドライバは磁気記録により情報を記憶するハードディスクドライバである。本発明の好ましい他の特徴として、前記ディスクドライバは光線により情報を記憶する光ディスクが適用される光ディスクドライバである。本発明の好ましい他の特徴として、前記ディスクドライバは前記本体と別個に設けられ本体内部に着脱自在に構成され、着脱されても装着時には本体とデータとをインターフェースできるようインターフェース部をさらに含む。
【００２４】
本発明によるスピンドルモータを用いた個人用移動通信機器の他の実施例は、データ入力装置と液晶表示窓を具備する本体、及び前記本体に内蔵されデータ記憶用ディスクを駆動させるスピンドルモータが設けられたディスクドライバを含み、前記スピンドルモータは、本体の回路基板に選択的に連結される回路基板と、この回路基板上に固定設置される管状のハウジングと、前記ハウジングに回転可能に挿入されるシャフトと、前記シャフトの回転時ハウジングに対して潤滑作用を働くようシャフトの外周面に沿って形成される多数の溝及びこの溝を含んで外周面に浸透し形成される二硫化モリブデン皮膜と、前記ハウジングの外周面と隣接した前記回路基板の上部に設けられ導体を重畳して成る電気子と、前記シャフトに一体に固定されるもので、上部面にはディスクが安着されるターンテーブルが具備され下部面には電気子と相互作用して回転電磁気力を発生させるマグネットが具備されたローターとを含んで成ることをその特徴とする。
【発明の効果】
【００２５】
前記のように構成され作用される本発明によるスピンドルモータ及びそのモータを用いた個人用移動通信機器は、スピンドルモータを超小型の寸法に作製でき軽量化が可能で、また個人用移動通信機器に用いて高価のメモリーに比してデータの記憶容量を大幅に拡張できる効果を奏する。また、個人用移動通信機器の使用者が多様なデータを活用でき、移動通信機器の活用度を高められるばかりでなく便宜性を提供することができる。
【発明を実施するための最良の形態】
【００２６】
以下、本発明によるスピンドルモータの好ましい一実施の形態について添付の図面を参照しながら詳しく説明すると次のとおりである。図１は本発明によるスピンドルモータの構成を示した側断面図で、図２は図１に示したスピンドルモータの分解斜視図であり、図示のように本発明によるスピンドルモータ（１００）は、回路基板（Ｃ）と、回路基板（Ｃ）に設けられた円筒型のハウジング（１１０）と、ハウジング（１１０）の外周面に位置し回路基板（Ｃ）の上部面に設けられ電磁気力を発生させる電気子（電機子）（１３０）とを含む。
【００２７】
ここで、電気子（電機子）（１３０）はコイル（１３４）のパターンされた薄板の合成樹脂材の絶縁板（１３２）を積層して成り、銅材質のコイル（１３４）が回路基板（Ｃ）の回路のようにパターンされて成る。
【００２８】
この際、電気子（１３０）は、絶縁板（１３２）にコイル（１３４）をパターンして形成するのでなく、四角断面を有するベルト形状から成る薄板の角型コイルを絶縁板（１３２）に付着して形成することもできる。
【００２９】
したがって、電気子（１３０）はコイル（１３４）が絶縁板（１３２）にパターンされたり付着されているので、薄膜フィルム形態となり高さが低くなる。続いて、本発明によるスピンドルモータ（１００）はハウジング（１１０）の内周面に挿入されて回動可能に設けられるシャフト（１２０）を含む。
【００３０】
この際、ハウジング（１１０）の下部面にはシャフト（１２０）の回動時に摩擦を減少させるスラストベアリング（１１２）が設けられ、ハウジング（１１０）の内周面とシャフト（１２０）の外周面には微細な溝と、潤滑特性の優れた二硫化モリブデン皮膜（ｆ）が選択的に形成される。
【００３１】
こうしたハウジング（１１０）とシャフト（１２０）に形成された溝は皮膜（ｆ）の材質と同一な二硫化モリブデンから成る流体を高圧噴射させて形成し、溝が形成されると溝の外部面に二硫化モリブデンの皮膜（ｆ）ができる。
【００３２】
ここで、皮膜（ｆ）を形成する理由を説明すると、ハウジング（１１０）とシャフト（１２０）が皮膜（ｆ）により固体ベアリングの役目を果たすようにするためである。
【００３３】
もし、ハウジング（１１０）の内周面にこうした溝と皮膜（ｆ）が形成されればハウジング（１１０）が固体ベアリングの役目を果たし、シャフト（１２０）の外周面に溝と皮膜（ｆ）が形成されればシャフト（１２０）が固体ベアリングの役目を果たすようになる。
【００３４】
このように皮膜（ｆ）はハウジング（１１０）の内周面またはシャフト（１２０）の外周面に選択的に形成されることができる。しかも、前記皮膜（ｆ）はハウジングまたはシャフトの表面と共にハウジングまたはシャフトに一定量浸透して形成される。したがって、図３のような浸透断面を有するようになる。
【００３５】
図３はシャフト（１２０）に皮膜（ｆ）が形成された場合を例示したもので、シャフトの外周面に皮膜（ｆ）が浸透して形成される状態を示している。したがって、ハウジングまたはシャフトが皮膜により固体ベアリングの役目を果たす際、摩擦を低減させる皮膜層がより厚く形成され、表面に均一に形成されることができ、しかも皮膜層の寿命を延長できる利点を奏する。
【００３６】
続いて、本発明によるスピンドルモータ（１００）は前述した電気子（１３０）と空隙を有するようシャフト（１２０）の上端に固定設置される円板型のローター（１４０）を含む。この際、ローター（１４０）の上端にはディスク（Ｄ）をセンタリングする円筒型の安着部（１４４）が設けられ、ローター（１４０）の上部面は安着部（１４４）からセンタリングされたディスク（Ｄ）が安定に安着されるターンテーブルの役目を果たす。
【００３７】
一方、ローター（１４０）の下部面には電気子（１３０）の電磁気力と相互作用してローター（１３０）を回転させるマグネット（１４２）が設けられ、こうしたマグネット（１４２）は微細な粉末から成りローター（１４０）の下部面に印刷されるか蒸着されて形成される。
【００３８】
印刷工程を通してマグネットを形成するとマグネット粉末を結合するバインダー（ｂｉｎｄｅｒ）層が厚く形成されるが、マグネット粉末を通したマグネット層の形成工程が簡単なので量産性が高くなる利点がある。それに比べて、蒸着工程は微細粉末を蒸着するのに長時間かかり、それにより生産性が低下するが、バインダーを使用しない為にマグネットの密度が高くなるので磁気的特性が良くなる利点がある。
【００３９】
したがって、マグネット（１４２）は薄膜のフィルム形態を成すようになり、これからマグネット（１４２）は厚さが最少化され、またローター（１４０）の厚さも最少化される。
【００４０】
ここで、厚さの最少化されたマグネット（１４２）はその厚さにより磁束密度が下がり磁力が弱くなるので、厚さに比して磁力を強化させるためには、ローター（１４０）の下部面積にできる限り多量のマグネット（１４２）粉末を印刷するか蒸着しなければならず、そうするためにはマグネット（１４２）粉末の粒径を約５００ｎｍないし１０００ｎｍ大に形成しなければならない。
【００４１】
こうしたローター（１４０）はスピンドルモータ（１００）の全体の高さを最少化させべく図１に示したようにローター（１４０）の中央下部面と、ハウジング（１１０）の上部面とが密着した構造を取るようにさせられ、こうした構造を取る場合にはハウジング（１１０）の上部面に微細な溝を形成し、その上に二硫化モリブデン皮膜（ｆ）を形成してハウジング（１１０）の上部面が固体ベアリングの役目をするようにすべきである。
【００４２】
一方、未説明符号１４４ａはプリングマグネットで、ローター（１４０）はプリングマグネット（１４４ａ）の磁力によりハウジング（１１０）と相互引力作用を働き、これにより高速回転時に浮上しなくなる。
【００４３】
このように構成されたスピンドルモータ（１００）は、ローター（１４０）にディスク（Ｄ）が安着されると回路基板（Ｃ）から印加された電流により電気子（１３０）が磁化され電磁気力を発生し、これによりローター（１４０）のマグネット（１４２）が電気子（１３０）の電磁気力と反応してローター（１４０）を高速回転させる。
【００４４】
そうすると、ローター（１４０）に安着されたディスク（Ｄ）も同じく高速回転されながら未図示されたピックアップによりディスク（Ｄ）上にデータを記録したり記録されたデータを短時間に再生することができる。
【００４５】
以上に説明したように、本発明によるスピンドルモータ（１００）は電気子（１３０）とマグネット（１４２）が薄膜のフィルム形態に形成され、二硫化モリブデン皮膜（ｆ）によりシャフト（１２０）とハウジング（１１０）が固体ベアリングの役目をするので超小型の寸法に作製することができる。
【００４６】
一方、このようなスピンドルモータ（１００）をディスクドライバに適用して個人用移動通信機器に用いることができ、図４はこうした使用例を示した図面で、図４は図１に示したスピンドルモータを用いた個人用移動通信機器の一実施例を示した斜視図である。
【００４７】
そして、図５は図４に示したディスクドライバの構成を示した側断面図で、図６は図４に示したディスクドライバの他の実施例を示した側断面図である。説明に先立って、図４は個人用移動通信機器の一例として最も普遍化した携帯電話機を示し、こうした携帯電話機に本発明のスピンドルモータ（１００）を有するディスクドライバ（７０）を用いた一実施例を示したものである。
【００４８】
図示のように携帯電話機は、送信用マイク（５４）と、データ入力用キーパッド（５２）及びバッテリー（Ｂ）を含む第１本体（５０）とで成り、該第１本体（５０）には受信用スピーカー（６４）と液晶表示窓（６２）とを有する第２本体（６０）が第１本体（５０）の固定部（５６）にヒンジ（６６）結合により一体となる。
【００４９】
この際、第１本体（５０）の一側にはディスクドライバ（７０）が挿入されるチャンバー（５８）が形成され、こうしたチャンバー（５８）にディスクドライバ（７０）が挿入されて内蔵される。
【００５０】
ここで、図５を参照しながら図示したディスクドライバ（７０）を説明すれば、ディスクドライバ（７０）は磁気記録によりデータを記録したり再生するハードディスクを示したもので、図示のようにディスクドライバ（７０）はケース（７２）、ケース（７２）の下部に設けられる回路基板（Ｃ）、及び回路基板（Ｃ）上に設けられる本発明によるスピンドルモータ（１００）を含む。前記スピンドルモータ（１００）は前記回路基板（Ｃ）上の任意の位置に設けることが可能（回路基板（Ｃ）に選択的に連結される）である。
【００５１】
そして、スピンドルモータ（１００）の上部には磁気記録が可能な金属材ディスク（Ｄ）が固定設置され、一側にはディスク（Ｄ）のデータを記録及び抽出する磁気ヘッド（７６ｂ）を有するスライダー（７６ａ）を含むピックアップ（７６）が設けられる。
【００５２】
一方、回路基板（Ｃ）の一側には携帯電話機の第１本体（５０）とグラウンドされるようケース（７２）の外部に突出されたピン（７８ａ）を有するインターフェース部（７８）が設けられ、インターフェース部（７８）により第１本体（５０）とディスクドライブ（７０）とはデータを互換し合える。
【００５３】
そして、回路基板（Ｃ）の下部面には、外部からディスクドライバ（７０）に衝撃が与えられるとその衝撃を緩和することのできる弾性材の衝撃吸収部材（７３）が設けられる。
【００５４】
このように構成されたディスクドライバ（７０）は図４に示したように携帯電話機の第１本体（５０）と別個に設けられ第１本体（５０）から着脱可能で、装着時にはインターフェース部（７８）を通した第１本体（５０）の制御によりピックアップ（７６）のスライダー（７６ａ）と磁気ヘッド（７６ｂ）が作動してディスク（Ｄ）上にデータを記録したり抽出する。
【００５５】
もちろん、ディスク（Ｄ）にデータを記録する場合には第１本体（５０）に設けられたキーパッド（５２）を用いてデータを入力し、データを再生する場合に画像は液晶表示窓（６２）にディスプレイし、音響はスピーカー（６４）から再生すればよい。この際、データの入力及び再生はピン（７８ａ）により第１本体（５０）と電気的に連結されたインターフェース部（７８）を通して行われる。
【００５６】
一方、ディスクドライバ（７０）を図５と異なり図６の光ディスク用ディスクドライバ（８０）に構成することができ、こうした光ディスク用ディスクドライバ（８０）は固定された固定ケース（８２ａ）、開閉される開閉ケース（８２ｂ）、及び固定ケース（８２ａ）の内部に設けられる回路基板（Ｃ）を含む。
【００５７】
そして、回路基板（Ｃ）に設けられる本発明によるスピンドルモータ（１００）と、スピンドルモータ（１００）に安着される光ディスク（Ｄ）からデータを記録及び抽出する光ピックアップ（８６）とを含む。
【００５８】
また、携帯電話機の第１本体（５０）とグラウンドされるピン（８８ａ）を有し、第１本体（５０）とデータとをインターフェースするインターフェース部（８８）を含む。さらに、こうした部品を外部の衝撃から保護すべく回路基板（Ｃ）の下部面に設けられる弾性材の衝撃吸収部材（８３）を含む。
【００５９】
このように構成された光ディスク用ディスクドライバ（８０）は、開閉ケース（８２ｂ）の開閉により光ディスク（Ｄ）が交換でき、光ピックアップ（８６）を用いて光ディスク（Ｄ）上にデータを記録及び抽出することができる。
【００６０】
もちろん、光ディスク用ディスクドライバ（８０）は携帯電話機の第１本体（５０）に形成されたチャンバー（５８）を通して第１本体（５０）と着脱され、第１本体（５０）と光ディスク用ディスクドライバ（８０）とはインターフェース部（８８）により相互にデータ送受信を行う。この際、送受信されるデータは光ピックアップ（８６）により光ディスク（Ｄ）上に記録されるか再生される。
【００６１】
一方、以上に説明したようにディスクドライバ（７０、８０）を携帯電話機の第１本体（５０）の内部に内蔵することができ、この場合には未図示の第１本体（５０）の回路基板上にディスクドライバ（７０、８０）の構成品を一体に結合させるべきである。
【００６２】
より詳しく説明すると、ディスクドライバ（７０、８０）の構成品であるスピンドルモータ（１００）、ピックアップ（７６）または光ピックアップ（８６）、そしてインターフェース部（７８、８８）を含む回路基板（Ｃ）を第１本体（５０）に内蔵された回路基板の上側や側面に結合して構成するのである。そうして、ディスクドライバ（７０、８０）と第１本体（５０）とが一体となる。もちろん、こうした場合には、ディスクドライバ（７０、８０）のケース（７２、８２ａ、８２ｂ）及び衝撃吸収部材（７３、８３）は除くことができる。
【００６３】
以上に説明したようなディスクドライバ（７０、８０）は携帯電話機に適用する例のみ説明したが、携帯電話機ばかりでなくＰＤＡやノート型コンピュータにも適用可能であり、こうしたディスクドライバ（７０、８０）により個人用移動通信機器のデータ記憶容量を画期的に拡張させられるばかりでなく、大変安い費用により移動通信機器のデータを拡張させることができる。
【００６４】
そして、個人用移動通信機器にディスクドライバ（７０、８０）が適用されるにつれて使用者は超小型ディスク（Ｄ）を身に付けながら必要に応じて所望のディスク（Ｄ）をプレイし音楽や映画または学習、文書閲覧など様々な内容を記録及び再生することができる。
【００６５】
したがって、本発明によると個人用移動通信機器の活用度が高められ、性能に優れ安価なハードディスクや光ディスクを個人用移動通信機器に用いることができ経済的な利点と便宜が図れる。なお、前記実施例は本発明の好ましい一実施の形態を説明したものに過ぎず、本発明の適用範囲はこれらに限定される訳ではなく、同一思想の範疇内で適切に変更可能である。例えば、本発明の実施の形態に示した各構成要素の形状及び構造は変形して実施することができる。
【図面の簡単な説明】
【００６６】
【図１】本発明によるスピンドルモータの構成を示した側断面図である。
【図２】図１に示したスピンドルモータの分解斜視図である。
【図３】図１のスピンドルモータの被握形成面を示した断面図である。
【図４】図１に示したスピンドルモータが用いられた個人用移動通信機器の一実施例を示した斜視図である。
【図５】図４に示したディスクドライバの構成を示した側断面図である。
【図６】図４に示したディスクドライバの他の実施の形態を示した側断面図である。
【図７】従来の技術による個人用移動通信機器を示した概略構成図である。
【図８】従来の技術によるディスクドライバ用スピンドルモータを示した断面図である。
【符号の説明】
【００６７】
５０、６０  本体
５８  チャンバー
７０  ディスクドライバ
７６、８６  ピックアップ
７８、８８  インターフェース部
８０  光ディスク用ディスクドライバ
１００  スピンドルモータ
１１０  ハウジング
１２０  シャフト
１３０  電気子
１４０  ローター
１４２  マグネット
【図１】
2004312987.tif 000003
【図２】
2004312987.tif 000004
【図３】
2004312987.tif 000005
【図４】
2004312987.tif 000006
【図５】
2004312987.tif 000007
【図６】
2004312987.tif 000008
【図７】
2004312987.tif 000009
【図８】
2004312987.tif 000010